(57)【要約】【課題】テレビ受信装置の使用場所が店頭であるといった、展示状況を検知する機能を従来は備えていないため、店頭展示でのみ設定したい画質・音質を自動的に設定することは不可能であった。【解決手段】この発明は、ＣＡＳカードのＩＤを検出する手段と、そのＩＤからカードの種類を判別する手段と、その判別結果に基づいて受像回路の画質や音質、特定の機能を店頭展示用に切替える制御手段を備え、ＣＡＳカードの種類を判別することで店頭展示状態であることを判別し、自動的に店頭展示に適した画質・音質を設定したり、店頭展示用のデモを流すといった特定の機能を動かすシステムを提供する。【選択図】図１
2007288432.tif 000002
【特許請求の範囲】
【請求項１】
限定受信システム（以下、ＣＡＳという）カードのＩＤを検出するＩＤ検出手段と、このＩＤ検出手段からの検出結果を入力し、ＣＡＳカードの種類を判別する判別手段と、この判別手段による判別結果を基に受像回路の機能を切り替える制御手段とを備えたテレビ受信装置。
【請求項２】
制御手段は、判別結果を基に受像回路の画質または音質の状態を切り替えることを特徴とする請求項１に記載のテレビ受信装置。
【請求項３】
制御手段は、判別結果を基に受像回路で表示される画像を動画や静止画のデモコンテンツに切り替えることを特徴とする請求項１に記載のテレビ受信装置。
【請求項４】
判別手段は、ＣＡＳカードの種類が店頭展示用カードか一般視聴用カードかを判別するようにしたことを特徴とする請求項１乃至請求項３のいずれか１つに記載のテレビ受信装置。
【請求項５】
制御手段は、判別手段の判別結果に基づき、所定時間後に機能設定を初期状態に戻すようにしたことを特徴とする請求項４に記載のテレビ受信装置。
【請求項６】
制御手段は、判別手段の判別結果に基づき、受像回路が有する機能の少なくとも一部が操作不可能になるようにしたことを特徴とする請求項４に記載のテレビ受信装置。
【請求項７】
制御手段は、予め指定した特定のコンテンツが受像回路から表示されないようにしたことを特徴とする請求項４に記載のテレビ受信装置。
【発明の詳細な説明】
【技術分野】
【０００１】
この発明は、受信装置の設置場所の明るさや広さといった環境に応じて、自動的に画質や音質などの機能或いは操作機能を切り替えるテレビ受信装置に関するものである。
【背景技術】
【０００２】
テレビ受信装置には一般的に、設置場所の明るさや広さといった環境や、テレビ受信装置で受信される映像信号の内容に応じて、映像のコントラストや鮮鋭度、音声の高低音といった、画質や音質を切替える機能が備わっている。従来のテレビ受信装置に於いては、その時の状況に応じて機能切替や画質・音質の調整は使用者がリモコンを用いて手動で行う必要があった。
【０００３】
この改善策として、周囲の明るさを受像装置に備えた明るさセンサーで検知し、この明るさセンサーの検知出力に応じて画面の明るさを自動的に制御するようにしたテレビ受信装置が知られている（例えば、特許文献１参照）。
また、映画・ニュース・音楽などの放送内容のジャンルに応じてユーザが出力映像特性（輝度）または出力音声特性（音量）を設定しておき、受信した放送内容を検知して、そのジャンルに応じた出力映像特性（輝度）または出力音声特性（音量）を自動的に切替えるようにしたテレビ受信装置も知られている（例えば、特許文献２参照）。
【特許文献１】特開平１１−３３１７２６号公報
【特許文献２】特開平１０−３２２６２２号公報
【発明の開示】
【発明が解決しようとする課題】
【０００４】
しかしながら、上記従来例に於いては、使用場所が店頭であるといった、展示状況を検知する機能は備えておらず、店頭展示でのみ設定したい画質・音質を設定することは不可能であった。ここで言う店頭展示状態とは、一般家庭の環境に比べ非常に光量が多く、また広いスペースである事が多い。このような店頭の明るく広い場所に適した画質・音質を自動的に設定したり、店頭展示状態でのみ働かせたい機能をオンにすることは、従来はできなかった。
また地上デジタル放送や衛星デジタル放送では、ユーザと放送局を結ぶＩＣカードであるＣＡＳ（Ｃｏｎｄｉｔｉｏｎａｌ  Ａｃｃｅｓｓ  Ｓｙｓｔｅｍ＝限定受信システム）カードを受信装置に挿入しないと、正常に放送サービスを受けられないようになっている。このＣＡＳカードにはユーザ独自の番号（ＩＤ）が登録されているものの、今までは単なる放送サービスのためにしか利用されていない。
【０００５】
この発明の目的は、テレビ受信装置が店頭展示状態であるかどうかを、ＣＡＳカードを利用して判別できるようにすることにより、店頭展示でのみ設定したい画質・音質或いは機能などを自動的に切り替えできるようにしたものである。
なおこの発明で説明するテレビ受信装置とは、放送電波を受信して映像を表示するものに限らず、チューナを備えないでＤＶＤなどの記録媒体に録画されたコンテンツを映像する受信装置も含むもので、要するに信号を受信して映像を表示するものはすべて含むものである。
【課題を解決するための手段】
【０００６】
この発明のテレビ受信装置は、ＣＡＳカードのＩＤを検出するＩＤ検出手段と、このＩＤ検出手段からの検出結果を入力し、ＣＡＳカードの種類を判別する判別手段と、この判別手段による判別結果を基に受像回路の機能を切り替える制御手段とを備えたものである。
【発明の効果】
【０００７】
この発明は、ＣＡＳカードを用いて簡単に店頭展示状態を判別することを可能としたので、店頭の明るく広い場所に適した画質・音質を自動的に設定したり、店頭展示状態でのみ働かせたい機能をオンにすることができる、という効果がある。
【発明を実施するための最良の形態】
【０００８】
実施の形態１
図１はこの発明の実施の形態１を示す構成図であって、ＣＡＳカードのＩＤを検出するＩＤ検出手段１と、ＩＤ検出手段１からのＩＤ検出の結果を以ってＣＡＳカードが店頭展示テレビ専用のカードか一般視聴用のカードかを判別するカード判別手段２と、ＣＡＳカードの種類を判別した結果を基にメモリ５に記憶されている画質や音質、あるいは付加機能の状態を切替える制御手段３と、制御手段３により切替えられた機能の結果を出力する受像回路４を備えている。
【０００９】
この図１において、ＩＤ検出手段１は、例えばテレビ受信装置に備えられたカードスロットと、カードスロットを介して得られるＣＡＳカードのＩＤ情報を読み取る機能と、ＩＤ情報をカード判別手段２に伝送する機能とを有する。このＩＤ検出手段１より伝送されたＣＡＳカードのＩＤ情報は、カード判別手段２にて受信されるが、カード判別手段２はマイコンを備えており、ＩＤ検出手段１で検出され伝送されてきたＩＤ情報を、マイコンが元々蓄えていたＩＤ情報の番号体系情報と比較参照することで、そのＩＤ情報を持つＣＡＳカードが店頭展示テレビ専用カードか一般視聴用のカードかを判別することができる。
【００１０】
制御手段３は、カード判別手段２にて判別されたカードの種類の結果を基に、店頭展示テレビ専用カードだった場合は店頭展示に適した画質・音質を自動的に設定できるよう、メモリ５からそのデータを読み出し、受像回路４の画質または音質の状態を切替える。
メモリ５は、一般視聴用データ５１と店頭展示用データ５２とを有しており、一般視聴用データ５１には、映画やニュースや音楽などの番組放送内容別に、リビングや寝室などの居室に適した輝度・色合いや音量・音質が設定されて記憶されている。また店頭展示用データ５２には、一般視聴用データ５１よりも輝度を上げ色合いを濃くした画質のデータが、また高音や低音を聞き取り易い音質にしたデータが設定されて記憶されている。
ここで店頭展示状態とは、一般家庭の環境に比べ非常に光量が多く、また広いスペースである事が多い。テレビの様な受信装置の場合、明るい環境下では画面の輝度を上げたり色合いを濃くする事で、より視聴者に画質の良さを訴求する事ができる。また、高音や低音を広いスペースで聞き取り易い音質にイコライジングする事で、音質の良さを訴求する事ができる。
従って、店頭展示状態である事を判別した時点で、家庭での一般視聴時には適さずとも店頭展示では視聴者への訴求力のある、極めて明るく聞き取り易い画質・音質に設定してやる事ができる。
【００１１】
また、テレビの様な受信装置の場合、予め映像の内容や視聴環境に応じて画質や音質をワンタッチで切替えられる様、映像モードを持っている事が多い。映像の輝度や色合い、音質の高低音のイコライジングを例えばハイブライトモード、スタンダードモード、シネマモードといった名称で複数プリセットしておき、ワンタッチで切替えるようにしたものである。
この発明の店頭展示用データ５２には、このような映像モードに店頭展示モードと称した店頭展示状態専用の明るい画質・聞き易い音質のモードを用意しておき、そのモードに切替えるようにしてもよい。
【００１２】
図２はこの発明の実施の形態１における制御を簡便に説明するフローチャートである。まずステップＳ１０１では、ＩＤ検出手段１で検出されたＣＡＳカードのＩＤをカード判別手段２にて受信する。ステップＳ１０２では、カード判別手段２が受信の結果、ＩＤの情報が取得できたかどうか判断する。ＩＤ情報が取得できていればステップＳ１０３に進み、ＩＤ情報が取得できていなければステップＳ１０１に戻る。ステップＳ１０３では、カード判別手段２はそのＩＤ情報が店頭展示専用カードのものかどうかを判別する。その結果、店頭展示専用カードのものであった場合は、ステップＳ１０４に進む。店頭展示専用のカードでなく、一般視聴用カードであった場合はそのままＥＮＤで終わる。ステップＳ１０４では、制御手段３はメモリ５の店頭展示用データ５２から映像モード若しくは画質・音質の調整などを店頭展示専用のものに切替えて読み出す。ステップＳ１０５では、メモリ５から読み出した店頭展示専用の画質・音質などを受像回路４に出力する。こうして受像回路４は、明るくスペースの広い店頭展示では、視聴者への訴求力のある、極めて明るく聞き取り易い画質・音質で放送することができる。
【００１３】
実施の形態２
図３はこの発明の実施の形態２を示す構成図で、実施の形態１の構成に店頭展示用デモコンテンツ５３をメモリ５に追加したものである。その他の構成は図１に示す実施の形態１と同様につき、その説明を省略する。
このように店頭でのみ放映する事を前提とした、動画や静止画の店頭展示用デモコンテンツ５３を予め受信装置に内蔵させておけば、制御手段３によって店頭展示時のみデモコンテンツを放映する事で、より店頭で視聴者に対し当該受信装置の機能をアピールできる。この様なデモ機能は、一般視聴用カードが受信装置に差された場合は、制御手段３によって動作不可とされるので、家庭での一般視聴時に不用意に動作する事は無い。
この実施の形態２は、受信装置に店頭展示用データ５２と店頭展示用デモコンテンツ５３の両方が内蔵される構成にしたが、この構成の場合、店頭展示専用カードを検出した場合、制御手段３が店頭展示用データ５２に切替えるか店頭展示用デモコンテンツ５３に切替えるかを予め決めておくスイッチが別に必要となる。したがって店頭展示用データ５２に代えて店頭展示用デモコンテンツ５３を設けるように構成にすれば、即ち、店頭展示用デモコンテンツ５３のみ設ける構成にすれば、スイッチも不要で、構成も簡単になる。
またテレビの様な受信装置の場合、機能や画質・音質を切替える手段として、受像回路４の画面上に表示しユーザーがリモコンで操作できる、オンスクリーンメニューを持っていることが多い。この実施の形態２において、店頭展示専用カードを検出した場合のみ、メニュー上に店頭展示用データの反映や店頭展示用デモコンテンツの表示のＯＮ／ＯＦＦを切替えるメニュー項目を表示させ、データの反映やデモコンテンツ表示をさせるかどうかを任意に選ぶようにしてもよい。このようにすれば、店頭展示専用カードが挿入されている際に、店頭展示用データを反映させるか否か、デモコンテンツの表示をさせるか否かといった選択を、その場の状況に応じて任意に決定できる。
【００１４】
実施の形態３
図４はこの発明の実施の形態３を示す構成図で、実施の形態１の構成にタイマ回路６を設けたものである。その他の構成は図１に示す実施の形態１と同様につき、その説明を省略する。
このタイマ回路６は、受像回路４の画質や音質が手動で調整されたとしても、ＣＡＳカードが店頭展示用カードと検出されている場合は、手動で調整されたことを検出してスタートし、所定時間後には店頭展示用データ５２に設定されている値の画質や音質に戻すようにしたものである。
このように店頭展示状態と判別された場合のみ、画質や音質の調整項目の調整値を一定時間でデフォルト値に戻す機能を持たせておけば、店頭展示にて画質や音質を故意に悪い状態に調整される事があっても、一定時間後には元の、視聴者にアピールできる画質や音質に戻す事ができる。これによって、店頭展示にて悪い画質や音質の状態がずっと続く事を阻止できる。
また、画質や音質の調整項目の調整値を一定時間でデフォルト値に戻す以外に、受信装置の向きが視聴者によって変更された場合も、店頭展示状態と判別された場合は、所定時間後に受信装置の向きを初期状態に戻すようにしてもよい。
【００１５】
実施の形態４
以上は受像回路４の画質・音質を切替えることや受像回路４で表示される内容をデモコンテンツに切替えることについて説明したが、この発明の実施の形態４は受信装置に店頭展示状態の時には動かして欲しくない機能があった場合、店頭展示状態と判別された場合のみ、当該の機能を動かない様にしたものである。即ち、制御手段３が店頭展示用データ５２あるいは店頭展示用デモコンテンツ５３に切替えた後は、受像回路４が有する機能の少なくとも一部が操作不可能になるよう、メモリ５にその機能停止設定をしたものである。
例えば、テレビの様な受信装置では内部にモーターを内臓し、視聴者がリモコンを使って受信装置の向きを自在に変える機能を持つ場合があるが、店頭で受信装置の向きが変わっては危険な場合、店頭展示状態の判別を以って本機能を動かないようにする。
また視聴者がリモコンを使って受信装置の向きを変えようとした場合、ＣＡＳカードが店頭展示用カードと検出されている時には、受像回路４の表示画面に「ありがとうございます。現在この機能は使用できません。店員にお尋ねください。」というテロップを出したりすることも出来る。このようにＣＡＳカードの種類によって、リモコンのキーに対応する受信装置側の動作を変更するようにしてもよい。
【００１６】
実施の形態５
この発明の実施の形態５は、受信装置に店頭展示状態の時には特定のコンテンツを放映させたくない場合、店頭展示状態と判別された場合のみ、予め指定した特定のコンテンツを流せなくするよう、図１、図３、図４のメモリ５に設定するようにしたものである。
例えば、デジタルテレビの様な受信装置では番組のコンテンツ情報を取得する事が可能である。よって、受信した番組のコンテンツ情報がアダルトコンテンツであった場合、店頭展示状態では放映を取り止めるといったことを行う。
【００１７】
実施の形態６
以上説明した実施の形態１乃至３では、メモリ５に一般視聴用のデータ５１を設けた例を説明したが、この発明のテレビ受信装置が店頭展示用だけに使用される場合は、この一般視聴用のデータ５１は省略することも可能である。
【図面の簡単な説明】
【００１８】
【図１】この発明の実施の形態１を示す構成図である。
【図２】この発明の実施の形態１の動作を示すフローチャートである。
【図３】この発明の実施の形態２を示す構成図である。
【図４】この発明の実施の形態３を示す構成図である。
【符号の説明】
【００１９】
１：ＩＤ検出手段
２：カード判別手段
３：制御手段
４：受像回路
５：メモリ    ５２：店頭展示用データ    ５３：店頭展示用デモコンテンツ
６：タイマ回路
【図１】
2007288432.tif 000003
【図２】
2007288432.tif 000004
【図３】
2007288432.tif 000005
【図４】
2007288432.tif 000006